(57)【要約】【課題】洗浄作業の効率化を図ることを目的とする。【解決手段】洗浄システムＵであって、前記電力設備に設けられ、前記電力設備内の各電気機器の碍子を洗浄する洗浄装置１０と、前記電力設備に設けられた風向計４０と、前記風向計を構成し風向に応じて転向する羽車４１であって、前記羽車４１の表裏両面をそれぞれ異なる色に着色するか、又は羽の表裏両面にそれぞれ異なる柄を付すことにより、表裏両面が識別可能とされた羽車４１と、前記電力設備に設けられたカメラＣと、前記洗浄装置１０と通信可能に接続された遠隔制御装置７０と、を備えてなる共に、前記遠隔制御装置７０は、前記カメラＣから出力される前記羽車４１の画像を表示する表示装置７３と、前記表示装置７３の表示画面を視認したオペレータが前記表示画面中に映る前記羽車４１の色、又は柄より決定した前記碍子の洗浄順についての入力を受け付ける入力部７５と、前記入力部７５に入力された洗浄順に従って前記碍子が洗浄されるように前記洗浄装置１０を遠隔操作する制御部７１と、を備える。【選択図】図４
2011034886.tif 000002
【特許請求の範囲】
【請求項１】
電力設備に設けられた洗浄装置を遠隔制御装置により遠隔制御して、前記電力設備に設けられた各電気機器の碍子を前記洗浄装置により風下に位置する碍子から順に洗浄する洗浄システムであって、
前記電力設備に設けられ、前記電力設備内の各電気機器の碍子を洗浄する洗浄装置と、
前記電力設備に設けられた風向計と、
前記風向計を構成し風向に応じて転向する羽車であって、前記羽車の表裏両面を異なる色にする、又は前記羽車の表裏両面の柄を異なる柄にすることにより、表裏両面が識別可能とされた羽車と、
前記電力設備に設けられたカメラと、
前記洗浄装置と通信可能に接続された遠隔制御装置と、を備えてなる共に、
前記遠隔制御装置は、
前記カメラから出力される前記羽車の画像を表示する表示装置と、
前記表示装置の表示画面を視認したオペレータが前記表示画面中に映る前記羽車の色、又は柄に基づいて決定した洗浄順の入力を受け付ける入力部と、
入力された前記洗浄順に従って前記碍子が洗浄されるように前記洗浄装置を遠隔操作する制御部と、を備えることを特徴とする洗浄システム。
【請求項２】
前記洗浄装置は前記電気機器の碍子を、予め設定された区画単位で、一括して洗浄する構成であると共に、
前記洗浄順は、前記区画単位で決められていることを特徴とする請求項１に記載の洗浄システム。
【請求項３】
前記電力設備には、前記カメラの向きを調整する調整装置が設けられる一方、
前記遠隔制御装置の制御部は、前記入力部がプリセット指令を受け付けることを条件に、前記風向計を捉えるように前記カメラの向きを前記調整装置を通じて自動調整することを特徴とする請求項１又は請求項２に記載の洗浄システム。
【発明の詳細な説明】
【技術分野】
【０００１】
本発明は、変電所などの電力設備に設けられる電気機器の碍子を洗浄する洗浄システムに関する。
【背景技術】
【０００２】
従来から変電所などの電気設備には、碍子に付着した塩塵を洗浄する洗浄装置が設置されている。これら碍子は風下に位置するものから順に洗浄する必要がある。これは、風上側から洗浄すると、塩分濃度の高い洗浄水が風下に位置する碍子に降りかかる恐れがあるからである。このように、碍子の洗浄順は風向によって変える必要があるので、変電所などの電力設備には、風向を調べるために風向計が取り付けられている。
【先行技術文献】
【特許文献】
【０００３】
【特許文献１】特開平５−３２５６８９号公報
【発明の概要】
【発明が解決しようとする課題】
【０００４】
ところで、洗浄装置は電力センターなどに設置された制御装置にて遠隔操作される構成となっており、現地（変電所）の風向は、変電所に設置された監視カメラで確認されるようになっている。すなわち、電力センターに常駐するオペレータが、監視カメラにより風向計を見て、その画像から現地の風向を判断している。しかし、監視カメラの画像はそれほど鮮明ではないから、一見した程度では風向を判断し難い、と言う問題があり、洗浄作業の効率化を図る上で支障となっていた。
本発明は上記のような事情に基づいて完成されたものであって、洗浄作業の効率化を図ることを目的とする。
【課題を解決するための手段】
【０００５】
本発明は、電力設備に設けられた洗浄装置を遠隔制御装置により遠隔制御して、前記電力設備に設けられた各電気機器の碍子を前記洗浄装置により風下に位置する碍子から順に洗浄する洗浄システムであって、前記電力設備に設けられ、前記電力設備内の各電気機器の碍子を洗浄する洗浄装置と、前記電力設備に設けられた風向計と、前記風向計を構成し風向に応じて転向する羽車であって、前記羽車の表裏両面を異なる色にする、又は前記羽車の表裏両面の柄を異なる柄にすることにより、表裏両面が識別可能とされた羽車と、前記電力設備に設けられたカメラと、前記洗浄装置と通信可能に接続された遠隔制御装置と、を備えてなる共に、前記遠隔制御装置は、前記カメラから出力される前記羽車の画像を表示する表示装置と、前記表示装置の表示画面を視認したオペレータが前記表示画面中に映る前記羽車の色、又は柄に基づいて決定した前記碍子の洗浄順についての入力を受け付ける入力部と、入力された前記洗浄順に従って前記碍子が洗浄されるように前記洗浄装置を遠隔操作する制御部と、を備える。
【０００６】
この発明では、羽車の表裏両面をそれぞれ異なる色に着色するか、又は羽の表裏両面にそれぞれ異なる柄を付してあり、現地の風向が変わると、カメラに映る羽車の画像が変わる。すなわち、着色を変えてある場合であれば、風向に応じて、カメラに映る羽車の色が変わるし、また柄を変えてある場合であれば、風向に応じて、カメラに映る羽車の柄が変わる。
【０００７】
そのため、表示装置に映る羽車の色のパターン又は柄のパターンと、碍子の洗浄順を予め対応付けておけば、表示装置に映る羽車から碍子の洗浄順を簡単に決定できる。
【０００８】
この発明の実施態様として、以下の構成とすることが好ましい。
・前記洗浄装置は前記電気機器の碍子を、予め設定された区画単位で、一括して洗浄する構成であると共に、前記碍子の洗浄順は、前記区画単位で決められている。このようにすれば、電気機器の碍子を効率よく洗浄できる。
【０００９】
・前記電力設備には、前記カメラの向きを調整する調整装置が設けられる一方、前記遠隔制御装置の制御部は、前記入力部がプリセット指令を受け付けることを条件に、前記風向計を捉えるように前記カメラの向きを前記調整装置を通じて自動調整する。このようにしておけば、カメラの向きを風向計に簡単に合わすことが可能となる。
【発明の効果】
【００１０】
本発明によれば、碍子の洗浄順を簡単に決定することが可能であり、洗浄作業の効率化が図られる。
【図面の簡単な説明】
【００１１】
【図１】変電所の設備構成を示す構成図（実施形態１）
【図２】変電所を構成する各設備の結線を示す回路図
【図３】遮断器の平面図
【図４】風向計を監視カメラで見た図
【図５】監視カメラに映る羽車の色と、洗浄順の対応関係をまとめた図表
【図６】洗浄システムの電気的構成を示すブロック図
【図７】碍子洗浄処理の流れを示すフローチャート図
【図８】案内画面の表示内容を示す図
【図９】案内画面の表示内容を示す図
【図１０】案内画面の表示内容を示す図
【図１１】案内画面の表示内容を示す図
【図１２】風向計を監視カメラで見た図（実施形態２）
【図１３】監視カメラに映る羽部の柄と、洗浄順の対応関係をまとめた図表
【発明を実施するための形態】
【００１２】
＜実施形態１＞
本発明の実施形態１を図１ないし図１１によって説明する。
本洗浄システムＵは、電力センターの遠隔制御装置７０と、各変電所１〜３の洗浄装置１０と、各変電所１〜３の監視カメラユニット３０から構成されるものであり、電力センターの遠隔制御装置７０に対して、各変電所１〜３の洗浄装置１０、監視カメラユニット３０が電気的に接続されている。そして、各変電所１〜３の洗浄装置１０を遠隔制御装置７０により遠隔操作して、各変電所１〜３に設けられた電気機器の碍子を洗浄するものである。
【００１３】
以下、まず、変電所１〜３の概略的構成を、変電所１を代表して、簡単に説明する。変電所１は発電所から送電線によって送られてきた電気の変成や分配を行うものであって、設備構成は主変圧器（負荷時タップ切替変圧器）ＬＲＴ、油遮断器ＯＣＢ、断路器ＬＳ、避雷器ＬＡ、計器用変圧器ＰＤなどからなる。
【００１４】
変電所１は三相２回線の電気を変成するべく主変圧器を２組備えており、残る他の設備についても、基本的には２組づつ設けられている。そして、変電所１の敷地は、図１に示すように第一区画Ｅ１と第二区画に左右に２分されており、図１の右手側にあたる第一区画Ｅ１に、第一主変圧器ＬＲＴ１、第一送電線側油遮断器ＯＣＢ１ａ、第一変圧器側油遮断器ＯＣＢ１ｂ、第一断路器ＬＳ１、第一避雷器ＬＡ１、第一計器用変成器ＰＤ１が設置され、図１の左手側にあたる第二区画Ｅ２に第二主変圧器ＬＲＴ２、第二送電線側油遮断器ＯＣＢ２ａ、第二変圧器側油遮断器ＯＣＢ２ｂ、第二断路器ＬＳ２、第二避雷器ＬＡ２、第二計器用変成器ＰＤ２が設置されている。
【００１５】
尚、変電所１は、図１に示す上側が引き込み口となっており、図１の中央やや上側の位置に、送電線より分岐する電線を支持するためのトラスＴを設けている。そして、第一区画Ｅ１側、第二区画Ｅ２側とも、トラスＴを跨ぐようにして、第一、第二断路器ＬＳ１、ＬＳ２と、第一、第二送電線側油遮断器ＯＣＢ１ａ、ＯＣＢ２ａが配置されている。これら断路器ＬＳと送電線側油遮断器ＯＣＢは図２に示すように直列的に接続されている。
【００１６】
そして、図１における下側には主変圧器ＬＲＴ１、ＬＲＴ２が左右に並んで配置してあり、その手前側（図中上側）には、変圧器側油遮断器ＯＣＢ１ｂ、ＯＣＢ２ｂが配置されている。また、第一避雷器ＬＡ１、第二避雷器ＬＡ２は、いずれも電線の引き込み経路を避けてあり、第一避雷器ＬＡ１は第一区画Ｅ１の中央右側に配置され、第二避雷器ＬＡ２は第二区画Ｅ２の中央左側に配置されている。
【００１７】
また、第一区画Ｅ１と第二区画Ｅ２を区画する境界線Ｌ上には第三断路器ＬＳ３が設けられている。この第三断路器ＬＳ３は図２に示す連結線Ｆを開閉するものである。
【００１８】
また、図１に示すように境界線Ｌの近傍であって、第一主変圧器ＬＲＴ１の手前側には、監視カメラユニット３０が配置されている。監視カメラユニット３０は、回転台３１を有する回転装置３５と、回転台３１に取り付けられた監視カメラＣ１とから構成されている。回転装置３５は、モータ３６を動力源として回転台３１を角度制御し得る構成となっており、この回転装置３５の作動により、監視カメラＣ１は、水平方向に首を振るように、カメラＣ１の向き（視野の向き）を変えられる構成となっている。
【００１９】
次に、洗浄装置１０について説明する。洗浄装置１０は電気機器の各碍子表面に付着した塩塵を洗浄するものであり、本実施形態では、主変圧器ＬＲＴ１、ＬＲＴ２の各ブッシング（碍子製の筒体）、油遮断器ＯＣＢ１ａ、ＯＣＢ１ｂ、ＯＣＢ２ａ、ＯＣＢ２ｂの各ブッシング、避雷器ＬＡ１、ＬＡ２の各ブッシング、計器用変圧器ＰＤ１、ＰＤ２の各ブッシングを洗浄対象としている。
【００２０】
洗浄装置１０は図１に示すように、洗浄水を貯水する貯水タンク１１、貯水タンクの洗浄水を送出するポンプ１３、洗浄水の流路となる配水管１４、１５、１７、洗浄水を噴射する噴射ノズル１９を主体に構成されている。
【００２１】
貯水タンク１１及びポンプ１３は、変電所１の構内であって、引き込み口側にあたる図１の上部の紙面左手側に設けられている。そして、ポンプ１３には配水管１４が連なっている。係る配水管１４は２分岐しており、分岐した一方の第一配水管１５は、第一区画Ｅ１内を図１に示す上側から下側に延びている。
【００２２】
第一区画Ｅ１内には、洗浄対象設備として第一主変圧器ＬＲＴ１、第一送電線側油遮断器ＯＣＢ１ａ、第一変圧器側油遮断器ＯＣＢ１ｂ、第一避雷器ＬＡ１、第一計器用変圧器ＰＤ１の５つの設備がある。そのため、第一配水管１５には、５つの洗浄対象設備に対応して相応数（４つ）の分岐管１６が分岐接続してある。そして、各分岐管１６には噴射ノズル１９が取り付けられており、ノズル先端から洗浄水を噴霧するようになっている。このようにすることで、第一区画Ｅ１内に含まれる各洗浄対象設備のブッシングを洗浄水によって洗浄できる構成となっている。
【００２３】
尚、図１では分岐管１６を簡略化して示してあるが、分岐管１６は図３に示すように洗浄対象設備（ここでは、油遮断器ＯＣＢ）の周囲を取り囲むように格子状に張り巡らされている。そして、各ブッシングに対応してその前後両側に一対の噴射ノズル１９が設けられている。例えば、図３に示すブッシングＢ１であれば、その前後両側に噴射ノズル１９ａ、１９ｂが向かい合うようにして設けられている。また、ブッシングＢ２であれば、その前後両側に噴射ノズル１９ｃ、１９ｄが向かい合うようにして設けられている。このようにすることで、２つの噴射ノズルから噴霧される洗浄水により、各ブッシングＢをその前後両側から洗浄できる構成となっている。
【００２４】
一方、分岐した他方の第二配水管１７は、第二区画Ｅ２内を図１に示す上側から下側に延びている。そして、第一区画Ｅ１内と同様に第二区画Ｅ２内には、洗浄対象設備として第二主変圧器ＬＲＴ２、第二送電線側油遮断器ＯＣＢ２ａ、第二変圧器側油遮断器ＯＣＢ２ｂ、第二避雷器ＬＡ２、第二計器用変圧器ＰＤ２の５つの設備がある。そのため、第二配水管１７にも、５つの洗浄対象設備に対応して相応数（５つ）の分岐管１８が分岐接続してある。そして、各分岐管１８には噴射ノズル１９が取り付けられており、ノズル先端から洗浄水を噴霧するようになっている。このようにすることで、第二区画Ｅ２内に含まれる５つの洗浄対象設備の各ブッシングＢを洗浄水によって洗浄できる構成となっている。
【００２５】
このように、配水管には第一区画Ｅ１に対応する第一配水管１５と、第二区画Ｅ２に対応する第二配水管１７の２系統が設けられている。そして、第一配水管１５と第二配水管１７には、図１に示すように、第一区画弁２５と第二区画弁２７がそれぞれ設けられている。このような構成とすることで、区画弁２５、２７の切換操作により、第一区画Ｅ１側から先に洗浄したり、第二区画Ｅ２側から先に洗浄したり、洗浄順を切り換えられる。尚、両区画弁２５、２７は常閉式の電磁弁であり、後述する弁制御装置５０から指令がない限り、通常は弁を閉止する設定となっている。
【００２６】
さて、上記した洗浄装置１０による洗浄対象設備の洗浄は区画単位で行われ、かつ洗浄順は、風下側に位置する区画側から先に行うことが好ましい。これは、仮に、風上側から洗浄すると、塩分濃度の高い洗浄水が風下に位置する区画側の碍子に降りかかる恐れがあるからである。
【００２７】
上記したように、洗浄順は風向によって変える必要があるので、当変電所１には、風向を調べるために風向計４０が取り付けられている。具体的には、図１に示すように、第一区画Ｅ１と第二区画Ｅ２との境界となる境界線Ｌ上にあって、図１における下側の位置に設置してある。
【００２８】
風向計４０は、図４に示すように矢部４２と羽部４３からなる羽車４１を、棒状をなす軸部４５の先端に軸止させたものであり、固定具４７によって、変電所鉄構などの構造物Ｄに取り付けられている。係る風向計４０は、図４に示すように、矢部４２の先が風上を指すように風向に応じて向きを変える。
【００２９】
そして、この風向計４０の羽車４１は、表裏両面のうち、一方側の面(以下、表面４１Ａ）を油性の塗料により「赤色」に着色してあるのに対して、他方側の面（以下、裏面４１Ｂ）を油性の塗料により「青色」に着色してある。そのため、図４の（ａ）に示すように、図中の右手側が風上となる時（第一区画Ｅ１側が風下となる時）には、監視カメラＣ１に、羽車４１の表面４１Ａ側（「赤色」に着色した面）が映る状態となる。一方、図４中の（ｂ）に示すように図中の左手側が風上となる時（第二区画Ｅ２が風下となる時）には、監視カメラＣ１に、羽車４１の裏面４１Ｂ側（「青色」に着色した面）が映る状態となる。
【００３０】
このように、羽車４１の両面４１Ａ、４１Ｂの色を変えておくことで、後に説明するように、洗浄対象設備の洗浄順を、監視カメラＣに映る羽車４１の色に基づいて簡単に決めることが可能となる。尚、監視カメラＣとは、各変電所１〜３に設けられる各監視カメラＣ１〜Ｃ３の総称を意味する。
【００３１】
次に、図６を参照して、洗浄システムＵの電気的構成を説明する。洗浄システムＵは、電力センターに設置された遠隔制御装置７０と、各変電所１〜３の各洗浄装置１０と、各変電所１〜３の各監視カメラユニット３０とから構成されており、遠隔制御装置７０により、各変電所１〜３に設置された洗浄装置１０を集中制御する構成となっている。尚、図６では、遠隔制御装置７０により制御される変電所１〜３のうち、２つだけを代表させて示してある。
【００３２】
変電所１〜３の洗浄装置１０は弁制御装置５０を備えている。この弁制御装置５０は、第一区画弁２５、第二区画弁２７に制御信号Ｓを与えることで、第一区画弁２５、第二区画弁２７の開閉を個々に制御する機能を担う。
【００３３】
遠隔制御装置７０は、制御部７１と、表示装置７３と、入力部７５と、記憶装置７７と、通信部８０とを備えている。通信部８０は各変電所１〜３に対応して専用に設けられており、各通信部８０にはそれに対応する変電所の洗浄装置１０を構成する弁制御装置５０、監視カメラＣの出力回路、回転装置３５などが電気的に連なっている（言い換れば、通信可能に接続されている）。
【００３４】
これにより、各変電所１〜３の各監視カメラＣの画像が、各通信部８０を通じて遠隔制御装置７０側に取り込まれると共に、遠隔制御装置７０側から各通信部８０を通じて各変電所１〜３の各弁制御装置５０に制御指令を与えることで、各変電所１〜３の洗浄装置１０を遠隔制御できる。また、各通信部８０を通じて各変電所１〜３の回転装置３５を制御することで、監視カメラＣの向きについても遠隔制御出来る。
【００３５】
入力部７５は、キーボード、マウスなどのユーザインターフェースより構成されている。この入力部７５を通じて、電力センターのオペレータは、以下の入力操作を行うことが出来る。
【００３６】
（１）洗浄対象となる変電所の番号の選択
（２）洗浄順の指定（正順、逆順）
（３）プリセット指令
（４）洗浄回数の指定
（５）運転実行、運転停止の指令
【００３７】
表示装置７３には、オペレータの入力操作を案内する案内画面、各変電所１〜３の監視カメラＣから転送された画像が表示される構成となっている。記憶装置７７には、各変電所１〜３の各洗浄装置１０を制御するための洗浄プログラムや、後述する監視カメラＣのプリセットに必要となるデータなどが記憶されている。
【００３８】
制御部７１は記憶装置７７に記憶された洗浄プログラムを実行して表示装置７３の表示制御を行う機能、回転装置３５を制御して監視カメラＣの向きを遠隔制御する機能、及び各変電所１〜３の各洗浄装置１０を各弁制御装置５０を通じて遠隔制御する機能を担う。
【００３９】
次に、図７のフローチャート図を参照して動作説明を行う。まず、碍子の洗浄作業を行うには、電力センターに設置された遠隔制御装置７０の電源を投入して、装置を起動させる必要がある。
【００４０】
遠隔制御装置７０が起動されると、制御部７１による表示制御が開始され、表示装置７３に、図８に示す変電所選択画面が表示される。この変電所選択画面には、遠隔制御装置７０の制御対象となる各変電所１〜３の名称が表示される。
【００４１】
名称が表示されたら、オペレータは入力部７５（マウス）を操作して、図８の変電所選択画面から洗浄対象となる変電所の選択を行ってやればよい（Ｓ１０）。尚、ここでは、オペレータにより、変電所１が選択されたものとして説明を続ける。
【００４２】
図８に示す変電所選択画面で、変電所１が選択されると、表示装置７３の画面は、図８に示す変電所選択画面から図９に示す設定／指令画面に切り変わる。この設定／指令画面には、監視カメラ選択ボックス９１、洗浄順選択ボックス９２、洗浄回数選択ボックス９３が表示され、更に、その右手側に指令ボックス９４が表示される構成となっている。
【００４３】
図９に示す設定／指令画面が表示されたら、オペレータは、入力部７５（マウス）を操作して、Ｓ１０にて選択した変電所の監視カメラＣを、監視カメラ選択ボックス９１から選択してやればよい。ここでは、変電所１が選択されているから、オペレータにより、監視カメラ選択ボックス９１から、変電所１に対応する監視カメラＣ１が選択されることとなる（Ｓ２０）。
【００４４】
監視カメラＣの選択が行われると、表示装置７３の画面は図９の設定／指令画面から図１０の監視カメラ表示画面に、一旦切り変わる。この監視カメラ画面のうち、画面中の右手側は表示領域に割り当てられており、表示ウインドウ９６中に、Ｓ２０にて選択された監視カメラＣの画像が表示されるようになっている。これにより、ここでは、図１０中の表示ウインドウ９６中に、変電所１の監視カメラＣ１の画像が表示されることとなる。
【００４５】
そして、図１０の監視カメラ表示画面のうち、左手側は操作領域に割り当てられており、３つのプリセット番号を表示した３つのボタンからなるプリセットボタン９７が表示されるようになっている。
【００４６】
選択状態にある監視カメラＣに対応する「プリセット番号」のボタンを操作すると、入力部７５がそのボタン操作（すなわち、プリセット指令）を受け付ける。すると、遠隔制御装置７０の制御部７１から監視カメラユニット３０に対して、通信部８０を通じて制御信号が与えられる。この制御信号には、監視カメラＣが風向計４０を捉えるように、回転台３１の位置（角度）を調整する位置情報が含まれている。
【００４７】
このようにすることで、プリセットボタン９７を操作すると、監視カメラユニット３０の回転装置３５が作動して、回転台３１が位置調整される結果、監視カメラＣが風向計４０を捉え、図１１に示すように、表示ウインドウ９６中に、変電所に設置された風向計４０が表示されることとなる。
【００４８】
尚、ここでは、変電所１番が選択されているから、オペレータは、プリセットボタン９７中の１番のボタンを、入力部７５によってボタン操作してやればよく、操作後には、表示ウインドウ９６中に、変電所１に設置された風向計４０の画像が表示されることとなる。
【００４９】
また、図１１に示すように、プリセットボタン９７の上側には、４つの矢印キーからなるカメラ操作ボタン９８が表示されるようになっている。このカメラ操作ボタン９８は、選択状態にある監視カメラＣの向きを微調整するものであり、必要に応じて矢印キーを操作することで、その方向にカメラの向きを微調整出来る。
【００５０】
かくして、表示ウインドウ９６内に、変電所（ここでは、変電所１）の風向計４０が映し出されたら、その画像に基づいて、オペレータは碍子の洗浄順を決定しなければならない。さて、ここで、先に説明したように、風向計４０の羽車４１は、表面４１Ａ側を「赤色」に着色してあるのに対して、裏面４１Ｂ側を「青色」に着色してある。そのため、表示ウインドウ９６中には、現地の風向に応じて、風向計４０の表面側（すなわち、赤色）、裏面（すなわち、青色）のいずれかが、表示されることとなる。
【００５１】
一方、本実施形態では、図５に示すように、遠隔制御装置７０の表示装置７３の表示画面に表示された羽車４１の色と、碍子の洗浄順が予め対応表としてまとめられており、表示された羽車４１の色が「赤色」である場合（第一区画側が風下となる風向の場合）には、洗浄順として「正順」を選択し、羽車４１の色が「青色」である場合（第二区画側が風下となる風向の場合）には、洗浄順として「逆順」を選択するように決めてある。
【００５２】
尚、「正順」とは第一区画Ｅ１の洗浄対象設備を先に洗浄し、その後第二区画Ｅ２の洗浄対象設備を洗浄する順番を意味し、「逆順」とは第二区画Ｅ２の洗浄対象設備を先に洗浄し、その後第一区画Ｅ１の洗浄対象設備を洗浄する順番を意味する。
【００５３】
そのため、例えば、図１１に示すように表示ウインドウ９６中に表示された羽車４１の色が「赤色」である場合には、オペレータは、対応表から洗浄順は「正順」であると簡単に決定でき、次の手順に従って、遠隔制御装置７０にて「正順」の選択操作を行ってやればよい。
【００５４】
図１１に示す監視カメラ画面中に、表示される戻るのボタン９９を操作すると、表示装置７３の画面は、図１１に示す監視カメラ画面から図９に示す設定／指令画面に切り換わる。従って、後は、洗浄順選択ボックス９２中の「正順」ボタンを入力部７５（マウス）を使ってボタン操作してやればよく、これにより、入力部７５がボタン操作を受け付け、洗浄順が「正順」に設定される。
【００５５】
そして、洗浄順が設定されたら、次に、洗浄順選択ボックス９２の右横に表示される回数選択ボックス９３の中から「一巡」、「繰返」のボタンのいずれかを操作して、洗浄回数を設定してやればよい。尚、「一巡」とは、洗浄対象となる碍子を１回だけ洗浄するモードであり、「繰返」とは、洗浄対象となる碍子を、繰り返し（例えば、５回）洗浄するモードである。尚、ここでは、洗浄回数として、「一巡」が選択されたものとする。
【００５６】
後は、図９に示す設定／指令画面中に表示される指令ボックス９４の中の「運転実行」のボタンを操作すれば、選択された変電所にて、碍子の洗浄作業が、設定された条件（「洗浄順」、「洗浄回数」）に従って自動的に行われる（Ｓ７０）。
【００５７】
ここでは、洗浄対象として変電所１が選択されているから、運転実行のボタンが操作されると、遠隔制御装置７０の制御部７１から変電所１の弁制御装置５０に対して、洗浄の開始を指示する洗浄作業実行指令が与えられる。また、この指令と共に、遠隔制御装置７０の制御部７１から変電所１の弁制御装置５０に対してＳ４０、Ｓ５０の作業により設定された洗浄条件の内容が合わせて通知される。
【００５８】
そして、変電所１の弁制御装置５０は、遠隔制御装置７０の制御部７１から洗浄作業実行指令を受けると、第一区画弁２５、第二区画弁２７を洗浄条件に従って制御し、洗浄作業を行う。
【００５９】
ここでは、Ｓ４０、Ｓ５０の設定作業により、洗浄条件が次のように設定されている。
（ａ）洗浄順は「正順（第一区画を先に、第二区画を後に洗浄）」である。
（ｂ）洗浄回数は「一巡」である。
【００６０】
そのため、弁制御装置５０はまず、第一区画弁２５に「弁」を開ける制御信号Ｓ１を与える。これにより、ポンプ１３により圧送された洗浄水が第一配水管１５、各分岐管１６を通って、各噴射ノズル１９より一斉に噴霧される。そのため、第一区画Ｅ１内に含まれる各洗浄対象設備のブッシング（碍子）に洗浄水が一斉にかけられ、各ブッシングは一斉洗浄される。
【００６１】
そして、洗浄を開始してから一定時間が経過すると、弁制御装置５０は第一区画弁２５に「弁」を閉じる制御信号を与える。これにより、第一区画弁２５が開放状態から閉止状態に切り換わり、洗浄水の噴霧が停止する。これにて、第一区画Ｅ１内に含まれる各洗浄対象設備のブッシングの洗浄作業が完了する。
【００６２】
次に、弁制御装置５０は、第二区画弁２７に「弁」を開ける制御信号Ｓ２を与える。これにより、ポンプ１３により圧送された洗浄水が、今度は、第二配水管１７、各分岐管１８を通って各噴射ノズル１９より一斉に噴霧される。そのため、第二区画Ｅ２内に含まれる各洗浄対象設備のブッシング（碍子）に洗浄水が一斉にかけられ、各ブッシングは一斉洗浄される。
【００６３】
そして、洗浄を開始してから、一定時間が経過すると、弁制御装置５０は、第二区画弁２７に「弁」を閉じる制御信号を与える。これにより、第二区画弁２７が開放状態から閉止状態に切り換わり、洗浄水の噴霧が停止する。これにて、第二区画Ｅ２内に含まれる各洗浄対象設備のブッシングの洗浄作業が完了する。これにて、洗浄作業が一巡することとなり、変電所１について洗浄作業は完了する。
【００６４】
その後、残る変電所２、３について洗浄作業を行う場合には、Ｓ１０〜Ｓ７０の各ステップを改めて行ってやればよい。
【００６５】
次に、本洗浄システムＵの効果を説明する。碍子（ブッシング）の洗浄は風下側から順に行う必要がある。そのため、各変電所１〜３の洗浄装置１０を遠隔操作する場合、監視カメラＣから転送されてくる風向計４０の画像に基づいて、現地の風向を判断する必要がある。しかし、監視カメラＣの画像はそれほど鮮明でなく、しかも画像中には、風向計４０の他に周囲の建物、景色なども当然写り込むので、画像から羽車４１の向き、すなわち風向を特定し難いという事情がある。
【００６６】
この点、本洗浄システムＵによれば、風向計４０の羽車４１の色を表裏で変えてあり、変電所１〜３の風向を、表示装置７３の表示画面に映る羽車４１の色によって捉えることが出来る。しかも、図５に示すように、表示装置７３の表示画面に表示された羽車４１の色と碍子の洗浄順との関係が、予め対応表としてまとめられている。従って、オペレータは、監視カメラＣ１の画像から、羽車４１の色が「赤」か「青」のいずれであるかさえ判別できれば、あとは図５の対応表を参照することで、変電所１〜３の碍子の洗浄順を簡単に決定できる。従って、洗浄条件の入力作業を短時間で行うことが可能となり、入力作業を含む洗浄作業全体の効率化を図ることが可能となる。
【００６７】
また、本実施形態では、風向確認用として専用のカメラを設けておらず、変電所１〜３内を監視する監視カメラＣを用いて、風向計４０を確認するようにしている。そのため、風向を調べるとき、監視カメラＣは必ずしも風向計４０の方を向いているとは限らず、基本的には、監視カメラＣの向きを風向計４０に合わせる作業が必須となる。この点、本洗浄システムＵでは、風向計４０を捉えるように、監視カメラＣの向きを自動調整するプリセット機能が設定されている。そのため、監視カメラＣの向きを、手間なく簡単に調整できるので、この点も、効率化を図る上で効果的である。
【００６８】
＜実施形態２＞
次に、本発明の実施形態２を図１２、図１３によって説明する。
実施形態１では、風向計４０の羽車４１の表面４１Ａを「赤色」に着色し、裏面４１Ｂを「青色」に着色し、羽車４１の表裏を色で識別させる例を示した。これに対して、実施形態２では、羽車４１の表裏を柄により識別するものである。
【００６９】
具体的に説明すると、図１２の（ａ）に示すように羽部４３の表面４３Ａに「縦縞」の柄を油性の塗料（黒）により付し、図１２の（ｂ）に示すように羽部４３の裏面４３Ｂに「横縞」の柄を油性の塗料（黒）により付してある。
【００７０】
そのため、表示ウインドウ９６中には、現地の風向に応じて、風向計４０の表面側（すなわち、縦縞）、裏面（すなわち、横縞）のいずれかが、表示されることとなる。
【００７１】
一方、本実施形態では、図１３に示すように、表示画面に表示された羽部４３の柄と、碍子の洗浄順が予め対応表としてまとめられており、表示された柄が「縦縞」である場合には、洗浄順として「正順」を選択し、表示された柄が「横縞」である場合には、洗浄順として「逆順」を選択するように決めてある。
【００７２】
そのため、オペレータは、表示装置７３の表示画面から、羽部４３の柄が「縦縞」か「横縞」かのいずれであるかさえ読み取れば、あとは、図１３に示す対応表から碍子の洗浄順を簡単に決定でき、実施形態１と同様の効果を得ることが可能となる。
【００７３】
＜他の実施形態＞
本発明は上記記述及び図面によって説明した実施形態に限定されるものではなく、例えば次のような実施形態も本発明の技術的範囲に含まれる。
【００７４】
（１）実施形態１では、羽車４１の両面４１Ａ、４２１Ｂで色を異ならせたパターンを示し、実施形態２では、羽車の両面４１Ａ、４２１Ｂで柄を異ならせたパターンを示した。本発明は、監視カメラＣに映る羽車が、表面側か裏面側か目視で認識できるようになっていればよく、実施形態１、実施形態２で例示したパターン以外にも、例えば、色と柄を組み合わせるなど種々のパターン変更が可能である。
【００７５】
（２）実施形態１では、羽車４１の両面４１Ａ、４２１Ｂの配色として「赤」、「青」のパターンを例示したが、識別し易い色であれば、「赤」、「青」以外の色であっても、無論よい。
（３）実施形態１では、洗浄順を、区画単位で定めたものを例示したが、碍子が風下から洗浄されるものであればよく、例えば、洗浄順を電気機器単位で決定することも可能である。
【符号の説明】
【００７６】
１…変電所（本発明の「電力設備」に相当）
２…変電所（本発明の「電力設備」に相当）
１０…洗浄装置
２５…第一区画弁
２６…第二区画弁
３０…監視カメラユニット
３５…回転装置（本発明の「調整装置」）
４０…風向計
４１…羽車
４１Ａ…表面
４１Ｂ…裏面
４２…矢部
４３…羽部
５０…弁制御装置
７０…遠隔制御装置
７３…表示装置
７５…入力部
８１、８２…通信部
Ｃ…監視カメラ（本発明の「カメラ」に相当）
Ｅ１…第一区画
Ｅ２…第二区画
【図１】
2011034886.tif 000003
【図２】
2011034886.tif 000004
【図３】
2011034886.tif 000005
【図４】
2011034886.tif 000006
【図５】
2011034886.tif 000007
【図６】
2011034886.tif 000008
【図７】
2011034886.tif 000009
【図８】
2011034886.tif 000010
【図９】
2011034886.tif 000011
【図１０】
2011034886.tif 000012
【図１１】
2011034886.tif 000013
【図１２】
2011034886.tif 000014
【図１３】
2011034886.tif 000015